(57)【要約】【課題】アクセルケーブルの端金具が固定されるブラケットにおいて、締結が緩んでもアクセルケーブルの反力で端金具が切り開き溝から外れない構造を提供する。【解決手段】ブラケット２１はケーブル取付部３３ａを有しており、ケーブル取付部３３ａに端金具３５が横から嵌まる切り開き溝３６を形成している。切り開き溝３６は、スロットルバルブにおけるロータの回転軸線と平行な横線４０に対して、開口部３６ａがアクセルケーブル１２の側に位置するように傾斜している。アクセルケーブル１２の反力が端金具３５を切り開き溝３６から外れる方向に作用しても、切り開き溝３６の上内面３６ｃが端金具３５の移動に対する抵抗になるため、ナット３７が緩んでもホルダー３５はケーブル取付部から外れない。【選択図】図５
2015113825.tif 000002
【特許請求の範囲】
【請求項１】
スロットルバルブを制御するアクセルワイヤーが挿通されたチューブのうちスロットルバルブ側の一端に設けた端金具が嵌まる切り開き溝を有するブラケットであって、
前記切り開き溝は、前記端金具を横から嵌め込みできるように略横向きに開口していてその奥部に前記端金具が保持されるようになっていると共に、前記チューブ及びアクセルワイヤーの曲がりの反力によって前記端金具が奥部から開口方向に移動することを阻止する抜け止め手段を有している、
自動車用内燃機関のアクセルケーブル保持用ブラケット。
【発明の詳細な説明】
【技術分野】
【０００１】
本願発明は、自動車用内燃機関のスロットルバルブを制御するためのアクセルケーブルの一端をスロットルバルブの側において保持するブラケット（ケーブルホルダー）に関するものである。
【背景技術】
【０００２】
アクセルペダルの動きをそのままスロットルバルブに伝えるタイプの自動車では、アクセルペダルとスロットルバルブとの連動手段として、チューブにアクセルワイヤーを挿通したアクセルケーブルが使用されている。チューブの一端はスロットルバルブの近くに配置したブラケットに固定されている一方、チューブの他端はアクセルペダルの近くに固定されており、アクセルワイヤーの一端をスロットルバルブのロータに係止し、アクセルワイヤーの他端をアクセルペダルに係止することで、アクセルペダルの踏み込み量に応じてスロットルバルブのロータ（弁体）を回転させている。
【０００３】
そして、アクセルケーブルを構成するチューブの一端には端金具が固定されている一方、ブラケットには端金具が嵌まる切り開き溝を形成しており、端金具をその軸心と直交した方向に移動させてブラケットの切り開き溝に嵌め込んでいる。特許文献１には直線状の端金具をブラケットに嵌め込むことが開示されているが、この特許文献１では、切り開き溝は上向きに開口していると推測される。
【先行技術文献】
【特許文献】
【０００４】
【特許文献１】特開２０００−３４３３７０号公報
【発明の概要】
【発明が解決しようとする課題】
【０００５】
さて、アクセルペダルとスロットルバルブとの距離が離れているため、アクセルケーブルを曲げて取り回ししているが、アクセルケーブルにはその弾性力に起因して真っ直ぐになろうとする反力が生じている一方、アクセルケーブルは平面視と正面視と側面視とのいずれの方向視においても曲がっている（すなわち三次元的に曲がっている）のが普通であるため、アクセルケーブルの反力の作用方向も複雑である。
【０００６】
また、左ハンドルの場合と右ハンドルの場合とではアクセルペダルの位置が左右方向に大きくずれるため、特許文献１の図４に記載されているように、左ハンドルの場合と右ハンドルの場合とではアクセルケーブルの曲がりは平面視で逆になっており、このため、アクセルケーブルの反力の作用方向も左ハンドルの場合と右ハンドルの場合とでは逆になっている。
【０００７】
そして、アクセルケーブルの反力で金具が上向きに移動しようとする傾向を呈することがあるが、特許文献１のようにブラケットの切り開き溝を上向きに開口していると、端金具の固定が緩むと、端金具がブラケットの切り開き溝から外れてしまう虞がある。
【０００８】
この点については、切り開き溝を横向きにしたらよいと考えられるが、上記のとおり左ハンドルの場合と右ハンドルの場合とではアクセルケーブルの反力の作用方向が逆向きになるため、左ハンドル仕様と右ハンドル仕様とのいずれか一方にしか対応できないという問題や、左ハンドル仕様と右ハンドル仕様とのいずれかにおいて組み付け時に、アクセルケーブルの反力で端金具が切り開き溝から外れる方向に動こうとすることから、一々手で端金具を保持して締結作業をせねばならないことがあって、作業性が悪くなることがあるという問題がある。
【０００９】
本願発明は、このような現状を改善したブラケットを提供することを目的とするものである。
【課題を解決するための手段】
【００１０】
本願発明は、スロットルバルブを制御するアクセルワイヤーが挿通されたチューブのうちスロットルバルブ側の一端に設けた端金具が嵌まる切り開き溝を有するブラケット関するもので、このブラケットの前記切り開き溝は、前記端金具を横から嵌め込みできるように略横向きに開口していてその奥部に前記端金具が保持されるようになっていると共に、前記チューブ及びアクセルワイヤーの曲がりの反力によって前記端金具が奥部から開口方向に移動することを阻止する抜け止め手段を有している。
【００１１】
抜け止め手段は、切り開き溝の全体形状を工夫することで形成することもできるし、切り開き溝の一部のみに設けることも可能である。また、端金具は接続部材という意味であり、樹脂製のものも含んでいる。
【発明の効果】
【００１２】
本願発明では、振動等によって端金具の締結が緩んで、アクセルケーブルの反力（弾性復元力）にて端金具を切り開き溝の開口部に向けて移動させようとする外力が生じても、その移動が抜け止め手段によって阻止されるため、端金具が切り開き溝から外れてしまうことを防止できる。従って、左ハンドル仕様の自動車と右ハンドル仕様の自動車とに１種類のブラケットを使用することができて、それだけコストを抑制することができると共に、組み付け間違いも防止できる。
【００１３】
また、組み付けに際しては、アクセルケーブルの反力によって端金具を切り開き溝の奥部に維持できるため、端金具の位置の調節の手間を省くことができる。このため、組み付けの手間を省くこともできる。
【図面の簡単な説明】
【００１４】
【図１】（Ａ）は実施形態を適用した車両の模式的な平面図、（Ｂ）は（Ａ）のＢ−Ｂ視断面図である。
【図２】図１（Ａ）のII-II 視断面図である。
【図３】（Ａ）は第１実施形態の要部の分離斜視図、（Ｂ）はブラケットを（Ａ）とは別の方向から見た斜視図である。
【図４】図１（Ａ）の IV-IV視断面図である。
【図５】（Ａ）は図４の VA-VA視図、（Ｂ）は図４の VB-VB視図である。
【図６】他の実施形態を示す図である。
【発明を実施するための形態】
【００１５】
(1).自動車の概要
次に、本願発明の実施形態を説明する。図１は自動車の模式的平面図であり、自動車は、隔壁１で隔てられた車内空間２とエンジルーム３とを有しており、車内空間２のうち運転席の前にはハンドル４が配置され、運転席の床部にはアクセルペダル５とブレーキペダル６とクラッチペダル７とが左右に並んで配置されている。図では、右ハンドル仕様を実線で示して左ハンドル仕様を一点鎖線で示している。
【００１６】
各ペダル５，６，７は従来から知られた構造であり、このうちアクセルペダル５は、図２のとおり、上向きに延びるフレーム８を有しており、フレーム８の上下中途部を隔壁１に設けた支持ブラケット９に左右横長のピン１０にて連結し、上端の支持板１１には、アクセルケーブル１２を構成するアクセルワイヤー１３の他端を連結している。
【００１７】
アクセルワイヤー１３はチューブ１４に摺動自在に挿通されており、チューブ１４の他端は、端金具１５を介してブラケット１６に固定されている。ブラケット１６は隔壁１に一体に又は別体に設けている。
【００１８】
エンジンルーム３には、内燃機関の機関本体１８がクランク軸を横向きにした姿勢で配置されている。機関本体１８はシリンダブロックとシリンダヘッドとを有しており、シリンダヘッドの背面に吸気マニホールド（図示せず）が固定されて、シリンダヘッドの前面に排気マニホールド（図示せず）が固定されている。
【００１９】
エアクリーナから吸気マニホールドに至る吸気通路のうち吸気マニホールドに近い箇所に図示しないサージタンクを介挿し、サージタンクの上面に、スロットルバルブを構成するスロットルボデー１９が固定されている。本実施形態では、吸気はスロットルボデー１９を上から下に流れるようになっており、このため、アエクリーナの側の吸気管２０はスロットルボデー１０の上面に接続されている。
【００２０】
そして、アクセルケーブル１２の一端は、ブラケット２１を介してスロットルボデー１９に接続されている。スロットルボデー１９とアクセルペダル５とは前後方向及び左右方向並びに上下方向に離れている。また、ブラケット２１はスロットルボデー１９の手前でかつ横側に位置している。そこで、アクセルケーブル１２は、平面視で略Ｕ形に取り回しされてスロットルボデー１９に至っている。
【００２１】
右ハンドル仕様と左ハンドル仕様とでは、アクセルペダル５の位置がスロットルボデー１９の左右反対側に位置するので、右ハンドル仕様ではアクセルケーブル１２は右から左に取り回されており、左ハンドル仕様では、アクセルケーブル１２は左から機関本体１８の手前側を巻いてスロットルボデー１９に至っている。
【００２２】
アクセルケーブル１２は、複数箇所がケーブルクランプ２２で保持されている。但し、ケーブルクランプ２２はＵ型であって強固に固定されてはおらず、アクセルケーブル１２は若干の遊びを持った状態でケーブルクランプ２２に嵌まっている。
【００２３】
(2).第１実施形態の詳細
次に、図３〜５を参照して、ブラケット２１とスロットルボデー１９とを説明する。既述のとおり、スロットルボデー１９は上下に開口しており、上端には継手筒２３を設け、下端にはフランジ２４を設けている。スロットルボデー１９の内部にはバタフライ式の弁体（図示せず）が配置されており、弁体は、スロットルボデー１９の中心を横切る弁軸２５に固定されており、弁軸２５の露出部に円弧状のロータ２６が固定されている。
【００２４】
ロータ２６の外周にはワイヤー保持溝２７が形成されており、かつ、ロータ２６の下端にはボール保持部２８が形成されている。アクセルワイヤー１３の一端に設けたボール２９をボール保持部２８に横から嵌め入れて、アクセルワイヤー１３をロータ２６のワイヤー保持溝２７に嵌め込んでいる。ボール保持部２８には、アクセルワイヤー１３が横から嵌まる通る切欠き溝３０を形成している。
【００２５】
アクセルワイヤー１３が引っ張られると、弁体が開き方向に回転する。スロットルボデー１９には、ロータ２６を戻し回転させるばね（図示せず）が配置されている。スロットルボデー１９の弁軸２５は、自動車の左右方向（クランク軸の軸線方向）に長い姿勢になっている。
【００２６】
アクセルワイヤー１３の一端はロータ２６の下端に係止されているので、図４に明示するように、ロータ２６の手前でかつ横にブラケット２１を配置し、ブラケット２１の上端部にチューブ１４の一端を取付けている。従って、ロータ２６は前方かつ斜め上方から引かれている。
【００２７】
ブラケット２１は、スロットルボデー１９に設けた上下のボス部３１に重なる第１側板３２と、平面視で第１側板３２と直交した第２側板３３とを有しており、第１側板３２がボルト３４でスロットルボデー１９のボス部３１に固定されている。ブラケット２１はスロットルボデー１９の近くに位置した別の部材に固定してもよいが、本実施形態のようにスロットルボデー１９に固定すると、両者がユニット化されるため、精度に優れると共に組み付けの手間も軽減できる。
【００２８】
第２側板３３はその広幅面が左右方向に広がっており、上端部に、垂線がロータ２６  の外周に向かうように側面視で鉛直線に対して傾斜したケーブル取付部３３ａを形成して、このケーブル取付部３３ａに、チューブ１４の一端に固定した端金具３５が横から嵌まる切り開き溝３６を形成している。従って、ブラケット２１のケーブル取付部３３ａはロータ２６よりも上に位置して、ロータ２６を斜め上から引いている。
【００２９】
端金具３５は中空で外周には雄ねじが形成されて２個のナット３７，３８が螺合している（正確には、端金具がねじ筒と２個のナットとで構成されている。）。そして、ナット３７，３８でケーブル取付部３３ａを挟持することで、チューブ１４の一端がブラケット２１に締結（固定）されている。
【００３０】
ケーブル取付部３３ａの上端には、上向きに突出してからＵターンして戻る側面視カール状のストッパー片３９を設けており、ストッパー片３９に先端側ナット３７の一つの側面３７ａを重ねることにより、先端側ナット３７を回転不能に保持している。
【００３１】
切り開き溝３６は横向きに開口しているが、抜け止め手段として、図５に示すように、開口部３６ａが奥部３６ｂよりもアクセルケーブル１２が存在する側に少し低くなっており、従って、奥部３６ｂから見て、真横方向に延びる横線４０に対してある程度の角度θだけ下向きに傾斜している。
【００３２】
端金具３５は、切り開き溝３６の奥部３６ｂに寄せた状態で固定されている。本実施形態では、横線４０は水平の線と一致しており、従って、切り開き溝３６は水平に対しても傾斜している。また、横線４０は、アクセルケーブル１２の一端寄りの部分１２ａの軸線４１と直交した線でもあり、ロータ２６の軸線と平行な線でもある。
【００３３】
ケーブル取付部３３ａを水平面と成して、切り開き溝３６の奥部をロータ２６の真上に位置させてもよい。この場合は、切り開き溝３６は水平面に存在するが、横線４０に対して傾斜させたらよい。なお、第２側板３３の前面には、上面に部材が取り付く上支持片４２と、横面に部材が取り付く下支持片４３とを設けている。
【００３４】
(3).第１実施形態のまとめ
さて、端金具３５にはアクセルケーブル１２の曲がりによる反力が常に作用している。このため、端金具３５のナット３６，３７が緩んでブラケット２１に対する締結がなくなると、端金具３５はアクセルケーブル１２の反力によって移動させられようとする。この端金具３５の移動方向はアクセルケーブル１２の反力の作用方向であり、平面視では実線の白抜き矢印で示す方向で、側面視では上向き方向である（図４に示すように、アクセルケーブル１２がブラケット２１の手前で下向き凹状に曲がっているため、上向き方向の反力も存在する。）。
【００３５】
しかるに、右ハンドル仕様の場合は、平面視での反力の作用方向はアクセルケーブル１２を切り開き溝３６の奥部に押し付ける方向に向かい、側面視での反力の作用方向は上向きであるため、右ハンドル仕様の場合は、ナット３６，３７が緩んでも端金具３５が切り開き溝３６から外れ出ることはない。
【００３６】
他方、左ハンドル仕様の場合は、側面視での作用方向は上向きであるが、平面視での反力の作用方向は一点鎖線の矢印で示すように、切り開き溝３６の開口方向に向かっている。しかし、本実施形態では、切り開き溝３６が下側及び手前側に向けて傾斜しているため、アクセルケーブル１２の反力が端金具３５に作用しても、端金具３５は切り開き溝３６の上内面３５ｃに強く当たる。これにより、端金具３５の外れが防止される。従って、本実施形態では、切り開き溝３６を傾斜させたことが抜け止め手段となっており、切り開き溝３６の上内面（後面）３６ｃが抜けとめ部になっている。
【００３７】
また、アクセルケーブル１２の反力は、端金具３５を上向き及び後ろ向きに押すようにも作用しているため、実際には、端金具３５に作用するアクセルケーブル１２の反力は、図５（Ａ）に示すように、上向き方向の反力Ｆ１と横向き方向の反力Ｆ２との合力Ｆ３となって、斜め後ろ方向に向かう。このため、端金具３５の外れがより確実に防止される。
【００３８】
なお、アクセルケーブル１２の反力がブラケット２１の先端側（上側）に作用しない場合は、切り開き溝３６の傾斜姿勢は実施形態と逆にしてもよい（すなわち、開口部３６ａが奥部３６ｂよりもブラケット２１の先端側に位置した傾斜姿勢としてもよい。）。
【００３９】
実施形態では、先端側ナット３７はストッパー３９で回転不能に保持される。このため、一々レンチでナット３７の姿勢を保持することなく、基端側ナット３７を回転操作するだけで、端金具３５をブラケット２１に固定できる。このため、組み付けの手間を軽減できる。
【００４０】
また、上記したように、アクセルケーブル１２の反力は上向きにも作用しているため、先端側のナット３７はアクセルケーブル１２の反力でストッパー３９に押し付けられている。このため、上記のとおり組み付けに際して先端側のナット３７を一々手で保持している必要がないのみならず、ナット３７，３８の緩みの抑制にも貢献している。なお、ストッパー片３９は切り起こしや単純な曲げ、或いは別部材の取付けるなどで構成してもよい。
【００４１】
(4).他の実施形態・その他
図６では他の実施形態を示している。このうち（Ａ）に示す実施形態では、切り開き溝３６を傾斜させることに加えて、奥部３６ｂをブラケット２１の先端側に入り込んだ袋状に形成している（すなわち、切り開き溝３６を略Ｌ型に形成している。）。他方、（Ｂ）に示す例では、切り開き溝３６を円弧状に湾曲させている（上向き凹に湾曲しているが、下向き凹状に湾曲させてもよい。）。
【００４２】
切り開き溝３６の具体的な形態は上記の各例に尽きるものではなく、他にも様々に具体化できる。例えば、図６（Ａ）の変形例として、切り開き溝３６を基本的には真横に延びる姿勢として、奥部をブラケット２１の先端側に入り込んだＬ形とすることも可能である。また、切り開き溝３６をく字形に屈曲した形態としてもよい。更に、切り開き溝３６の適宜部位に、ブラケット２１の先端側又は基端側に突出した屈曲部を形成することで、端金具の横移動を阻止してもよい。
【００４３】
実施形態のようにナットの回り止めとするストッパーを設ける場合、ナットの複数の側面に当たる構成としたり、複数のコーナー部に重なる構成としたりすることも可能である。実施形態の端金具は２個のナットで固定しているが、１つのナットで固定されるタイプにも適用できる。また、ストッパーを、ナットが切り開き溝から抜けない方向に移動阻止するような傾斜姿勢にすることも可能である。
【産業上の利用可能性】
【００４４】
本願発明のブラケットは、実際に製造して自動車用内燃機関に適用できる。従って、産業上利用できる。
【符号の説明】
【００４５】
１  隔壁
２  車内空間
３  エンジンルーム
４  ハンドル
５  アクセルペダル
１２  アクセルケーブル
１３  アクセルワイヤー
１４  チューブ
１８  機関本体
１９  スロットルバルブを構成するスロットルボデー
２１  ブラケット
２６  スロットルバルブのロータ
３３ａ  ケーブル取付部
３５  端金具
３６  切り開き溝
３６ａ  開口部
３６ｂ  奥部
３７，３８  ナット
【図１】
2015113825.tif 000003
【図２】
2015113825.tif 000004
【図３】
2015113825.tif 000005
【図４】
2015113825.tif 000006
【図５】
2015113825.tif 000007
【図６】
2015113825.tif 000008